(57)【要約】【課題】            ストローの長さの程度、更には可撓性の存否を問わず、飲用の中途段階において安定した状態にてストローを収納することができる飲料用ボトルの構成を提供すること。【解決手段】        冠着するキャップ１の下側に突起部２を設け、当該突起部２がストロー５との間にて冠着自在であるような飲料用ボトル３であり、特に当該突起部２の少なくとも先端部分がストロー５の内側又は外側を押圧した状態にて嵌合可能であることを実現するために、突起部２として折り曲げ弾性を有した素材を採用し、かつ長手方向において相互に隙間を有している複数本の分岐枝を採用することによって、ストロー５を外側から押圧する構造であることを特徴とするか、又は突起部２として、伸縮自在の１本の先細り形状による素材を採用することによってストロー５を内側から押圧することを特徴とするような構成を採用した飲料用ボトル３。【選択図】          図２
2007022563.tif 000002
【特許請求の範囲】
【請求項１】
冠着するキャップの下側に、突起部を設け、当該突起部がストローとの間にて、嵌合可能であることに基づく飲料用ボトル。
【請求項２】
突起部の少なくとも先端部分がストローの内側、または外側を押圧した状態にて嵌合可能であることを特徴とする請求項１記載の飲料用ボトル。
【請求項３】
突起部として折り曲げ弾性を有した素材を採用し、かつ長手方向において相互に隙間を有している複数本の分岐枝を採用することによって、ストローを内側、又は外側から押圧する構造であることを特徴とする請求項２記載の飲料用ボトル。
【請求項４】
突起部として、伸縮自在の１本の先細り形状による素材を採用することによってストローを内側から押圧することを特徴とする請求項２記載の飲料用ボトル。
【請求項５】
突起部を屈曲自在の素材による円板から突設したことによる突起部付円板を飲料用ボトルの頂部と螺合するために設けられているキャップの螺子溝に嵌合可能であることを特徴とする請求項１記載の飲料用ボトル。
【請求項６】
請求項１，２，３，４記載の飲料用ボトルにおいて着脱自在にて使用されるキャップ。
【請求項７】
請求項５記載の飲料用ボトルにおいて、キャップに嵌合するために設けられた突起部付円板。
【発明の詳細な説明】
【技術分野】
【０００１】
本発明は、飲料に用いるストローを飲用の中途段階にて、ボトル内に収納し得る飲料用ボトル及び、当該ボトルと一体を為すキャップ、更には当該キャップに嵌合することができる突起部付円板に関するものである。
【背景技術】
【０００２】
ボトルに収容したジュース、コーヒー、紅茶等をストローを使用して、飲用する場合、当該ボトル内の飲用物を時間を分けて飲用する場合には、使用したストローを廃棄せずに、飲用の都度、使用することが好ましい。
【０００３】
そのためには、ストローを飲用の途中段階において、飲料用ボトル内に収納することが必要となる。
【０００４】
従来技術においては、以下のような特許文献（一部は実用新案登録願）に示すように、ストローを飲料用ボトル内において安定した状態にて収納するために、飲料用ボトルの上下幅よりも長く、かつキャップによって押さえた場合、自ら有している可撓性によって、折り曲げ自在の構成を採用していた。
【０００５】
しかしながら、ストローは必ずしも、飲料用ボトルの上下幅よりも長いとは限らず、かつ、常に可撓性を有している訳でもない。
【０００６】
即ち、如何なるストローに対しても安定した状態にて、飲用の中途段階において収納し得るような構成の飲料用ボトル、及び当該使用するキャップの構成はこれまで提唱されている訳ではない。
【０００７】
【特許文献１】実用新案登録第３０７８９８２号公法
【特許文献２】実用新案登録第３０９９２６５号公法
【特許文献３】特開２００１−１８６９７４号公法
【特許文献４】特開２００１−３００号公法
【発明の開示】
【発明が解決しようとする課題】
【０００８】
本発明は、ストローの径が概略一定であることに着目し、長さの程度更には可撓性の存否を問わず、飲用の中途段階において安定した状態にてストローを収納することができる飲料用ボトルの構成を提供することを課題としている。
【課題を解決するための手段】
【０００９】
前記課題を解決するため、本発明の基本構成は、
（１）冠着するキャップの下側に、突起部を設け、当該突起部がストローとの間にて、嵌合可能であることに基づく飲料用ボトル
（２）突起部の少なくとも先端部分がストローの内側、又は外側を押圧した状態にて嵌合可能であることを特徴とする前記（１）記載の飲料用ボトル
からなる。
【発明の効果】
【００１０】
前記（１）（２）の基本構成に基づき、本発明においては、飲用の中途段階において、ストローの先端をキャップの下側において突出している突起部に嵌合したうえで、ストローと一体となっているキャップをボトルの頂部に嵌着させることによってストローをボトル内において、安定した状態にて収納することが可能となる。
【発明を実施するための最良の形態】
【００１１】
前記（１）の基本構成においては、図１に示すようにストロー５と突起部２とを嵌合自在としているが、当該嵌合状態は、突起部２がストロー５の内側に嵌合する場合（図１はそのような場合を示す）、及び外側に嵌合する場合の何れにおいても実現可能である。
【００１２】
図１に示すようにストロー５が底部に接触し、しかも突起部２に嵌合し、かつ突起部２の付根に至らないような状態である場合には、極めて安定した状態にて突起部２がストロー５を嵌合し、かつ支持することができる。
【００１３】
これに対し、ストロー５の長さが突起部２の先端とボトルの底部の関係よりも短い場合に、安定した嵌合状態を実現するためには、前記（２）のように突起部２の少なくとも先端部分がストロー５の内側又は外側を押圧した状態にて、嵌合可能である構成を採用した場合には、前記押圧状態においてストロー５の自然落下を防止し、かつ安定した嵌合状態を確保することが可能となる。
【００１４】
前記（２）の基本構成を実現するためには、図２（ａ）に示すように突起部２として折り曲げ弾性を有した素材を採用し、かつ長手方向において相互に隙間を有している複数本の分岐枝を採用することによって、ストロー５を内側、又は外側から押圧する構造であることを特徴とする実施形態、又は図２（ｂ）に示すように突起部２として、伸縮自在の１本の先細り形状による素材を採用することによってストロー５を内側から押圧することを特徴とする実施形態を好適に採用することができる。
【００１５】
即ち、図２（ａ）実施形態の場合には、ストロー５の内側に分岐枝を挿入して、内側から押圧するか、又はストロー５を分岐枝の間に挟みこみ、外側から押圧することによって容易に堅固状態が実現でき（図２（ａ）の場合には、外側から押圧する場合を示す）、図２（ｂ）のような実施形態の場合には、突起部２の先端から順次、ストロー５を嵌め込んで行き、伸縮自在な突起部２がストロー５を内側から押圧し得る状態に至った段階にて嵌め込みを終了することによって堅固な嵌合状態を実現することができる。
【００１６】
このように、本発明の飲料用ボトル３は、蓋においてストロー５と嵌合自在の突起部２を設けたことに技術上の特徴を有していることから、前記（１）（２）の基本構成、更には図２（ａ）（ｂ）の実施形態に示すようなキャップ１を独立した構成の対象とし、嵌着し得る飲用ボトル３と、結合することは当然可能である。
【実施例】
【００１７】
実施例においては、図３に示すように、突起部２を屈曲自在の素材による円板４から突設し、当該円板４を飲料用ボトル３の頂部と螺合するために設けられているキャップ１の螺子溝３１に嵌合可能であることを特徴としている。
【００１８】
尚、図３においては図２（ａ）の突起部２を採用した場合を示しているが、円板４と結合する突起部２は、図２（ａ）に示す突起部２に限定される訳ではない。
【００１９】
実施例のように、突起している円板４をキャップ１の螺子溝３１に冠着させる場合には、単に突起部２付円板４を製造することによって既存のキャップ１付飲用ボトル３と組み合わせることによって本発明のストロー５を収納し得る飲料用ボトル３を実現することができる。
【００２０】
無論実施例の円板４と、キャップ１とを結合したうえで、当該キャップ１を冠着の対象とする既存の飲料用ボトル３と、結合することもまた当然可能である。
【００２１】
したがって、実施例の場合には、前記突起部２付円板４を独立した構成の対象とすることができる。
【産業上の利用可能性】
【００２２】
本発明は、ストロー５を使用しながら飲用する液状飲用物を収容する飲料用ボトル３、及び当該ボトルに冠着するキャップ１、更には実施例のように、突起部２付円板４を対象として製造販売することによる産業の分野において利用することができる。
【図面の簡単な説明】
【００２３】
【図１】前記（１）の基本構成による本発明の基本原理を示す側断面図である。
【図２】前記（２）の基本構成の実施形態を示す断面図であって、（ａ）は相互に隙間としている分岐枝を採用した実施形態を示しており、（ｂ）は伸縮自在の１本の先細り形状による素材を採用した実施形態を示している。
【図３】突起部付円板を示した実施例の構成を示しており、（ａ）は円板とキャップとの配置関係を示す見取り図であり、（ｂ）は円板をキャップに嵌着した状態を示す側断面図である。
【符号の説明】
【００２４】
１．キャップ
２．突起部
３．飲料用ボトル
３１．螺子溝
４．円板
５．ストロー
【図１】
2007022563.tif 000003
【図２】
2007022563.tif 000004
【図３】
2007022563.tif 000005